(57)【要約】      （修正有）【課題】プラスチックパレット成形用型のスライドブロックモジュールを提供する。【解決手段】プラスチックパレット１０は載置面と支持面の間に中央貫通口と側辺開口が設置され、且つ載置面中央と板辺支持柱の間の連接区域に複数の、縦横に交錯するリブである補強部が設置され、該補強部は成形用型の対応位置の複数のスライドブロックモジュール２０で製造される。該スライドブロックモジュールは成形用型に固定された固定ブロックを包含し、該固定ブロックの少なくとも一側が傾斜状を呈し上向きに延伸され、対応してスライド可能なスライドブロックの設置に供され、プラスチックパレット射出成形後に、スライドブロックが固定ブロック側辺において自動的に傾斜してスライドし間距変更することで順調に製品を型から外せ、製造コストを低くし、製造を容易とする。【選択図】図３
0003177307.tif 000002
【実用新案登録請求の範囲】
【請求項１】
プラスチックパレット成形用型のスライドブロックモジュールであって、該成形用型はプラスチックパレットを成形するのに用いられ、該プラスチックパレットの載置面中央及び側辺支持柱の間の連接区域に、複数の縦横に交錯するリブである補強部が設置され、該補強部は成形用型の対応位置に設置された複数のスライドブロックモジュールで製造される、上記プラスチックパレット成形用型のスライドブロックモジュールにおいて、
各該スライドブロックモジュールは、固定ブロック、及び少なくとも一つのスライドブロックを包含し、該固定ブロックの底部に、該成形用型に固定される固定部が設けられ、該固定部の上方の少なくとも一側に、傾斜状に上向きに延伸された案内部が設けられ、且つ該案内部と該固定部の間に、垂直に延伸された成形区が設けられ、該スライドブロックに、該案内部に対応して傾斜延伸されたスライド部が設けられ、これにより該スライドブロックがスライド自在に上述の固定ブロック上に設置され、
該スライドブロックの底部は該成形区上方に位置し、該成形区上方を遮蔽し、該成形区と該スライドブロック底部の間に共同でキャビティー空間を形成させて、該補強部の射出成形に供し、並びに該補強部の射出成形後に、該スライドブロックが該固定ブロック側辺の傾斜をスライドして該スライドブロック底部が該成形区上方を離れることにより、該補強部が順調に型より外されることを特徴とする、プラスチックパレット成形用型のスライドブロックモジュール。
【請求項２】
請求項１記載のプラスチックパレット成形用型のスライドブロックモジュールにおいて、該成形用型は、一組の、矩形を成す上型、下型、パレット側辺開口を製造するための複数のサイドスライドブロック、及び前述の複数のスライドブロックモジュールを包含し、該スライドブロックモジュールは該上型と該下型の間に設置され、パレットの載置面中央と側辺支持柱の間の連接区域に対応する位置に位置することを特徴とする、プラスチックパレット成形用型のスライドブロックモジュール。
【請求項３】
請求項２記載のプラスチックパレット成形用型のスライドブロックモジュールにおいて、複数の該スライドブロックモジュールは間隔を呈するように配列され、上述の上型の、各二つのスライドブロックモジュールの間に対応する位置に、一つの凸塊が突伸し、各該スライドブロックモジュールの固定ブロック両側それぞれに、該案内部と該成形区が設けられ、上述のスライドブロックは二つとされ、並びにそれぞれ該固定ブロックの両側に設置され、前述のスライドブロックは該成形区上方を遮蔽する外側が、該凸塊の側辺と平行な平行面とされ、二つの該スライドブロックの該平行面がそれぞれ上型の該凸塊両側辺と重なり合うことを特徴とする、プラスチックパレット成形用型のスライドブロックモジュール。
【請求項４】
請求項２記載のプラスチックパレット成形用型のスライドブロックモジュールにおいて、上述の複数のスライドブロックモジュールは間隔なく配列され、且つ各該スライドブロックモジュールの該固定ブロックの、該案内部より離れた別の一側は垂直面とされ、上述のスライドブロックの、該成形区上方を遮蔽する外側は、該垂直面と平行な平行面とされ、且つ該平行面は別のスライドブロックモジュールの該固定ブロックの垂直面上に重ね合わされることを特徴とする、プラスチックパレット成形用型のスライドブロックモジュール。
【請求項５】
請求項３又は４記載のプラスチックパレット成形用型のスライドブロックモジュールにおいて、該スライドブロックのスライド部は楔形ブロックとされ、前述の案内部にあり溝が切削され、該スライドブロックの該楔形ブロックの設置に供されることを特徴とする、プラスチックパレット成形用型のスライドブロックモジュール。
【請求項６】
請求項３記載のプラスチックパレット成形用型のスライドブロックモジュールにおいて、該固定ブロックの該案内部の壁面に縦向きの位置制限溝が設けられ、該スライドブロック上の、該位置制限溝に対応する位置に、該位置制限溝に進入する位置制限棒が設けられ、該スライドブロックの該位置制限棒が該位置制限溝内を移動し、該スライドブロックの上向き移動の行程を制限することを特徴とする、プラスチックパレット成形用型のスライドブロックモジュール。
【請求項７】
請求項６記載のプラスチックパレット成形用型のスライドブロックモジュールにおいて、該固定ブロックの案内部内にさらに該スライドブロックを上に弾性支持する弾性部品が設けられたことを特徴とする、プラスチックパレット成形用型のスライドブロックモジュール。
【請求項８】
請求項４記載のプラスチックパレット成形用型のスライドブロックモジュールにおいて、複数の間隔無く配列されたスライドブロックモジュールの下方と成形用型との間に底座が設けられ、該底座の内側に位置制限溝が設けられ、該スライドブロックモジュール内にさらに位置制限棒が設けられ、該位置制限棒にストッパ部が設けられ、該位置制限棒が該スライド部と平行とされ、且つ一端が該スライドブロックに螺合され、他端は該固定ブロックを貫通し、該位置制限棒のストッパ部が位置制限溝中に位置させられ、該スライドブロックがスライド時に該位置制限棒及びストッパ部を駆動し、該位置制限棒を該固定ブロック中で、該ストッパ部の末端が該底座の位置制限溝内壁面に突き当たるまで移動させ、これによりスライドブロックの上向き移動を制限することを特徴とする、プラスチックパレット成形用型のスライドブロックモジュール。
【請求項９】
請求項８記載のプラスチックパレット成形用型のスライドブロックモジュールにおいて、該位置制限棒の外側に弾性部品が嵌合され、該弾性部品が該スライドブロックと該固定ブロックの間に位置することを特徴とする、プラスチックパレット成形用型のスライドブロックモジュール。
【請求項１０】
請求項７又は９記載のプラスチックパレット成形用型のスライドブロックモジュールにおいて、該弾性部品がバネとされたことを特徴とする、プラスチックパレット成形用型のスライドブロックモジュール。
【考案の詳細な説明】
【技術分野】
【０００１】
本考案は一種のプラスチックパレットの製造技術に係り、特に一種の、プラスチックパレット成形用型のスライドブロックモジュールに関する。
【背景技術】
【０００２】
図１に示されるように、伝統的なパレット１は、載置面２、支持面３、及び載置面２と支持面３の間に設置された複数の支持柱４で構成される。該載置面２と支持面３の間の、側辺支持柱４と側辺支持柱４の間の位置に、側辺開口５が設けられ、及び、中央と側辺支持柱４の間に、中央貫通口が設けられる。前述の開口と貫通口により、材料が減らされ、製造コストが減らされ、リフターの機械アームを開口に挿入して搬送するのに便利である。
【０００３】
そのうち、上述の載置面１及び支持面２は、複数のリブが９０度を呈して縦横に垂直に交錯配列することで構成される。ただし、載置面１及び支持面２の間に、複数の支持柱４が設置される。これにより、製造の便のために、支持柱４と支持柱４の間の横向き或いは縦向きの隣り合う区域に、往々にしてただ単方向（横向き或いは縦向き）のリブ６が設置される。ただし、前述の単方向配列されたリブ６構造区域は、力を受ける時に、力の分散が不均一となりやすく、応力が集中し、容易に損壊する問題を有する。
【０００４】
さらに、パレットは支持柱の間に設置される側辺開口、中央貫通口は、型で製造することが比較的容易でなく、このため周知の特許文献１によると、パレットの成形用型の側辺に、それぞれ一方が長く、もう一方が短いスライドブロックを挿入することで、パレットの側辺開口及び中央貫通口を形成している。しかし、前述のスライドブロックの長さを増加する時、成形用型の製作上の難度も増し、並びに製品の取り出し行程と時間が長くなり、成形用型のコストもアップする。
【先行技術文献】
【特許文献】
【０００５】
【特許文献１】台湾特許公告第５８９２７１号明細書
【考案の概要】
【考案が解決しようとする課題】
【０００６】
このことを鑑み、本考案者は長年の関係領域における研究と実験に基づき、特にプラスチックパレット成形用型のスライドブロックモジュールを創作し、単方向配列のリブ構造を改善し、載置面強度を増し、並びに成形用型製造コストを減らし、さらに重要であることとして、型から外す行程を短縮し、製造時間を短縮する目的を達成する。
【０００７】
本考案の目的は、プラスチックパレット成形用型に設置されるスライドブロックモジュールを提供し、単方向配列のリブ構造を、縦横に交錯する格子状配列とし、並びに製品を型から外す時間を短縮し、製造コストを減らし、製造を容易とする長所を有するようにすることにある。
【課題を解決するための手段】
【０００８】
上述の目的を達成するため、上述のプラスチックパレットは、載置面と支持面の間に、中央貫通口と側辺開口が設置され、且つ載置面の中央と側辺支持柱の間の連接区域に、複数の縦横に交錯するリブである補強部が設置され、該補強部は成形用型の対応位置に設置された複数のスライドブロックモジュールで製造される。
【０００９】
その特徴は、各スライドブロックモジュールは、固定ブロック、及び少なくとも一つのスライドブロックを包含する。そのうち、該固定ブロックの底部に、成形用型に固定される固定部が設けられ、該固定部の上方の少なくとも一側に、傾斜状に上向きに延伸された案内部が設けられ、且つ該案内部と固定部の間に、垂直に延伸された成形区がある。該スライドブロックに、該案内部に対応して傾斜延伸されたスライド部が設けられ、これによりスライドブロックがスライド自在に上述の固定ブロック上に設置される。
【００１０】
該スライドブロックの底部は成形区上方に位置し、成形区上方を遮蔽し、成形区とスライドブロック底部の間に共同でキャビティー空間を形成させて、補強部射出成形に供し、並びに補強部射出成形後に、スライドブロックが固定ブロック側辺の傾斜をスライドしてスライドブロック底部が成形区上方を離れるため、補強部が順調に型より外される。
【００１１】
以下に、本考案の各部品の実施方式について説明する。
上述の成形用型は、実施時に、一組の、矩形を成す上型、下型、複数の、パレット側辺開口を製造するためのサイドスライドブロック、及び前述の複数のスライドブロックモジュールを包含する。該スライドブロックモジュールは上型と下型の間に設置され、パレットの載置面中央と側辺支持柱の間の連接区域に対応する位置に位置し、パレットの中央貫通口と前述の補強部を射出成形するのに供される。
【００１２】
実施時には、複数のスライドブロックモジュールは間隔を呈するように配列され、上述の上型の、各二つのスライドブロックモジュールの間に対応する位置に、一つの凸塊が突伸し、各スライドブロックモジュールの固定ブロック両側それぞれに、案内部と成形区が設けられ、上述のスライドブロックは二つとされ、並びにそれぞれ固定ブロックの両側に設置され、前述のスライドブロックは成形区上方を遮蔽する外側が、凸塊の側辺と平行な平行面とされ、二つのスライドブロックの平行面がそれぞれ上型の凸塊両側辺と重なり合う。
【００１３】
実施時には、上述の複数のスライドブロックモジュールは間隔なく配列され、且つ各スライドブロックモジュールの固定ブロックの、案内部より離れた別の一側は垂直面とされ、上述のスライドブロックの、成形区上方を遮蔽する外側は、該垂直面と平行な平行面とされ、且つ該平行面は別のスライドブロックモジュールの固定ブロックの垂直面上に重ね合わされる。
【００１４】
上述のスライドブロックが実施される時、スライドブロックのスライド部は楔形ブロックとされ、前述の案内部にあり溝が切削され、スライドブロックの楔形ブロックの設置に供される。型を用いて射出成形した後に、パレットを取り出す時は、スライドブロックの楔形ブロックがあり溝の上向きの傾斜に沿ってスライドし、スライドブロックの底部を成形区上方より離し、補強部を順調に型より離脱させる。
【考案の効果】
【００１５】
周知の技術と比較すると、本考案はパレット補強部を、縦横が交錯するよう配列した格子状に製造し、載置部の構造を強化する。並びに、スライドブロックモジュールの固定ブロックとスライドブロック間が相対スライド自在に設置されたことにより、製造時間を短縮し、生産コストを減らす。
【図面の簡単な説明】
【００１６】
【図１】周知のパレットの立体外観図である。
【図２】本考案で製造されてなるプラスチックパレットの立体外観図である。
【図３】成形用型の立体分解図である。
【図４】本考案の立体分解図である。
【図５】本考案のスライドブロックと固定ブロックが下型上方に設置される表示図である。
【図６】本考案のスライドブロックが固定ブロックに対して移動する表示図である。
【図７】本考案の第２実施例の成形用型の立体分解図である。
【図８】本考案の第２実施例の立体分解図である。
【図９】本考案の第２実施例の側面断面図である。
【図１０】本考案の第２実施例のスライドブロックの固定ブロックに対する移動表示図である。
【考案を実施するための形態】
【００１７】
本考案の技術手段に基づき、本考案の実施方式を列挙し、並びに図面を組み合わせて説明する。
【００１８】
図２から図４に示されるように、プラスチックパレット１０は、載置面１１と支持面１２の間に、中央貫通口と側辺開口１３が設けられ、且つ載置面１１の中央及び側辺支持柱１４の間の連接区域に、複数の、縦横に交錯するリブとされる補強部１５が設けられ、該補強部１５は成形用型の対応位置に設けられた複数のスライドブロックモジュール２０により製造される。
【００１９】
その特徴は、以下のとおりである。各スライドブロックモジュール２０は固定ブロック２１、及び少なくとも一つのスライドブロック２２を包含する。そのうち、該固定ブロック２１の底部に、成形用型に固定される固定部２１１が設けられ、該固定部２１１の上方の少なくとも一側に、傾斜状に上向きに延伸された案内部２１２が設けられ、且つ該案内部２１２と固定部２１１の間に、垂直に延伸された成形区２１３がある。該スライドブロック２２に、該案内部２１２に対応するように傾斜して延伸されたスライド部２２１が設けられ、これによりスライドブロック２２がスライド自在に上述の固定ブロック２１上に設置される。
【００２０】
該スライドブロック２２の底部は成形区２１３上方に位置し、成形区２１３上方を遮蔽し、成形区２１３とスライドブロック２２底部の間に共同でキャビティー空間を形成させて、補強部１５射出成形に供し、並びに補強部１５射出成形後に、スライドブロック２２が固定ブロック２１側辺の傾斜をスライドしてスライドブロック２２底部が成形区２１３上方より離れるため、補強部１５が順調に型より外される。
【００２１】
上述の成形用型は実施時に、一組の、矩形を成す上型３０、下型４０、複数の、パレット側辺開口１３を製造するためのサイドスライドブロック５０、及び前述の複数のスライドブロックモジュール２０を包含する。該スライドブロックモジュール２０は上型３０と下型４０の間に設置され、パレットの載置面１１中央と側辺支持柱１４の間の連接区域に対応する位置に位置し、パレットの中央貫通口と前述の補強部１５を射出成形するのに供される。
【００２２】
図５、図６に示されるように、複数のスライドブロックモジュール２０は間隔を呈するように配列され、上述の上型３０の、各二つのスライドブロックモジュール２０の間に対応する位置に、一つの凸塊３１が突伸し、各スライドブロックモジュール２０の固定ブロック２１両側それぞれに、案内部２１２と成形区２１３が設けられ、上述のスライドブロック２２は二つとされ、並びにそれぞれ固定ブロック２１の両側に設置され、前述のスライドブロック２２は成形区２１３上方を遮蔽する外側が、凸塊３１の側辺と平行な平行面２２２とされ、二つのスライドブロック２２の平行面２２２がそれぞれ上型３０の凸塊３１両側辺と重なり合う。
【００２３】
成形用型より製品を取り出す時は、スライドブロック２２のスライド部２２１を固定ブロック２１の案内部２１２の上向きの傾斜に沿ってスライドさせ、スライドブロック２２の底部を成形区２１３の上方より離し、同時にスライドブロック２２の平行面２２２が漸次内縮し上型３０の凸塊３１より離れ、これにより補強部１５がスライドブロック２２の平行面２２２と上型３０の凸塊３１の間より順調に外される。
【００２４】
図７、図８に示されるように、実施時には、上述の複数のスライドブロックモジュール２０は間隔なく配列され、且つ各スライドブロックモジュール２０の固定ブロック２１の、案内部２１２より離れた別の一側は垂直面２１４とされ、上述のスライドブロック２２の、成形区２１３上方を遮蔽する外側は、該垂直面と平行な平行面２２２とされ、且つ該平行面２２２は別のスライドブロックモジュール２０の固定ブロック２１の垂直面２１４上に重ね合わされる。
【００２５】
図９、図１０に示されるように、成形用型より製品を取り出す時は、スライドブロック２２のスライド部２２１が固定ブロック２１の案内部２１２の上向き傾斜に沿ってスライドさせられ、スライドブロック２２の底部が成形区２１３の上方より離れ、同時に、スライドブロック２２の平行面２２２が逐次内縮し別のスライドブロックモジュール２０の垂直面２１４より離れ、これにより補強部１５がスライドブロック２２の平行面２２２ともう一つのスライドブロックモジュール２０の垂直面２１４の間より順調に取り外される。
【００２６】
図４、図８に示されるように、上述のスライドブロック２２が実施される時、スライドブロック２２のスライド部２２１は楔形ブロックとされ、前述の案内部２１２にあり溝２１４が切削され、スライドブロック２２の楔形ブロックの設置に供される。該スライドブロック２２の楔形ブロックはあり溝２１５の上向き傾斜に沿ってスライドし、これによりスライドブロックの底部が成形区の上方より離れることで、補強部が成形用型より順調に取り外される。
【００２７】
さらに、図４及び図６に示されるように、該固定ブロック２１を実施する時、あり溝２１５の内壁面に縦向きの位置制限溝２１６が設けられ、該スライドブロック２２に該位置制限溝２１６に対応するように、位置制限溝２１６に進入する位置制限棒２２３が設けられ、位置制限棒２２３は位置制限溝２１６内に制限されて移動し、スライドブロック２２の上向き移動行程を制限する目的を達成する。このほか、固定ブロック２１のあり溝２１５内にさらに弾性部品２１７が設けられ、弾性部品２１７を利用してスライドブロック２２に恒常的に上向きに支持する弾力を保持し、スライドブロック２２を移動させた後に、補強部１５を順調に型から外す十分な空間を発生させる。実施時に、該弾性部品２１７はバネとされ得る。
【００２８】
もう一種のスライドブロック２２の上向き傾斜移動を補助する実施例は、図８から図１０に示される。複数の間隔無く配列されたスライドブロックモジュール２０の下方と成形用型の間に、さらに底座６０が設けられ、該底座６０の内側に位置制限溝２１６が設けられる。上述のスライドブロックモジュール２０内にさらに位置制限棒２２３が設けられ、該位置制限棒２２３にストッパ部２２４が設けられる。上述の位置制限棒２２３はスライド部２２１と平行で、且つ一端はスライドブロック２２に螺合され、他端は固定ブロック２１を通過し、位置制限棒２２３のストッパ部２２４が位置制限溝２１６中に位置させられる。位置制限棒２２３が固定ブロック２１中を移動させられて、ストッパ部２２４の末端が底座６０の位置制限溝２１６内壁面に突き当たると停止し、これにより、スライドブロック２２の上向き移動行程を制限する目的が達成される。
【００２９】
このほか、該位置制限棒２２３の外側に、弾性部品２１７が嵌合され、該弾性部品２１７はスライドブロック２２と固定ブロック２１の固定部２１１の間に位置し、並びに恒常的にスライドブロック２２を上向きに支持する弾力を保持し、スライドブロック２２移動後に、補強部１５を順調に成形用型より外す十分な空間を発生させる。実施時に、該弾性部品はバネとされ得る。
【００３０】
以上述べたことは、本考案の実施例にすぎず、本考案の実施の範囲を限定するものではなく、本考案の実用新案登録請求の範囲に基づきなし得る同等の変化と修飾は、いずれも本考案の実用新案登録請求範囲のカバーする範囲内に属するものとする。
【符号の説明】
【００３１】
１０  プラスチックパレット
１１  載置面
１２  支持面
１３  側辺開口
１４  支持柱
１５  補強部
２０  スライドブロックモジュール
２１  固定ブロック
２１１  固定部
２１２  案内部
２１３  成形区
２１４  垂直面
２１５  あり溝
２１６  位置制限溝
２１７  弾性部品
２２  スライドブロック
２２１  スライド部
２２２  平行面
２２３  位置制限棒
２２４  ストッパ部
３０  上型
４０  下型
５０  サイドスライドブロック
６０  底座
【図１】
0003177307.tif 000003
【図２】
0003177307.tif 000004
【図３】
0003177307.tif 000005
【図４】
0003177307.tif 000006
【図５】
0003177307.tif 000007
【図６】
0003177307.tif 000008
【図７】
0003177307.tif 000009
【図８】
0003177307.tif 000010
【図９】
0003177307.tif 000011
【図１０】
0003177307.tif 000012